(57)【特許請求の範囲】
【請求項１】
商品に関する商品情報をラベルに印字してラベルを発行するラベル発行部を備えた商品処理装置において、
複数種類の前記商品情報のうち予め設定されたチェック項目について商品情報の入力がなされていない場合には、未入力であることの表示を所定のタイミングで表示器に表示させると共に、前記チェック項目を前記ラベルを印字する形式ごとに指定できるようにしたことを特徴とする商品処理装置。
【請求項２】
商品に関する商品情報をラベルに印字してラベルを発行するラベル発行部を備えた商品処理装置において、
複数種類の前記商品情報のうち予め設定されたチェック項目について商品情報の入力がなされていない場合には、未入力であることの表示を所定のタイミングで表示器に表示させると共に、前記チェック項目を前記ラベルに印字する商品情報の項目ごとに指定できるようにしたことを特徴とする商品処理装置。
【請求項３】
請求項１もしくは２において、
商品ごとに、かつ、商品情報の項目ごとに前記商品情報を記憶する商品情報記憶部と、
該商品情報記憶部のうち未入力であるか否かをチェックすべき項目を記憶するチェック項目記憶部と、
該チェック項目に記憶された項目について入力がなされているか否かを判断する判別手段とを備えた商品処理装置。
【請求項４】
請求項３において、
前記商品情報記憶部には、各商品ごとに、かつ、各項目ごとに、商品情報が存在しないことを入力できるようにした商品処理装置。
【発明の詳細な説明】
【０００１】
【発明の属する技術分野】
本発明は、商品に関する商品情報に基づいて所定の処理を行う商品処理装置に関するものである。
【０００２】
【従来の技術】
従来より、品名、単価、ＰＯＳコードおよび風袋重量などの項目（種類）からなる商品情報を商品ごとに商品マスタ（商品情報記憶部）に記憶させ、該商品マスタから読み出した商品情報に基づいて、商品の計量包装値付等を行う商品処理装置が知られている。こうした商品処理装置では、商品マスタから読み出した風袋重量等の項目に基づいて正味重量を算出したり、品名やＰＯＳコード等の項目に基づいてラベルの発行等を行う。
【０００３】
【発明が解決しようとする課題】
ところで、オペレータは、商品情報のうちの一部の入力を忘れることがある。かかる入力忘れなどによって、ラベルの発行に必須の項目が未入力である場合、当該項目の内容が印字されていないラベルが発行される。かかる必須の項目が印字されていないラベルを発行することは無駄なことである。一方、必須の項目はユーザごとに異なる。
【０００４】
また、このような必須項目の入力忘れは、ラベル発行ばかりではなく、たとえば、計量等に用いる風袋重量等の項目についても同様に生じるおそれがある。
【０００５】
したがって、本発明の目的は、ユーザごとに異なる商品情報の必須項目について、入力忘れを防止することのできる商品処理装置を提供することである。
【０００６】
【課題を解決するための手段】
前記目的を達成するために、本第１発明は、商品に関する商品情報をラベルに印字してラベルを発行するラベル発行部を備えた商品処理装置において、複数種類の前記商品情報のうち予め設定されたチェック項目について商品情報の入力がなされていない場合には、未入力であることの表示を所定のタイミングで表示器に表示させると共に、前記チェック項目を前記ラベルを印字する形式ごとに指定できるようにしたことを特徴とする。
一方、本第２発明は、商品に関する商品情報をラベルに印字してラベルを発行するラベル発行部を備えた商品処理装置において、複数種類の前記商品情報のうち予め設定されたチェック項目について商品情報の入力がなされていない場合には、未入力であることの表示を所定のタイミングで表示器に表示させると共に、前記チェック項目を前記ラベルに印字する商品情報の項目ごとに指定できるようにしたことを特徴とする。
【０００７】
本発明における「チェック項目」とは、商品情報の種類（品名、単価等）のうち、入力がなされているか否かを判別すべき項目をいう。
「所定のタイミング」には、たとえば、登録モードにおける商品の登録時や、通常モードにおける商品の呼出時や、印字の実行命令が実行される直前などがある。
【０００８】
【発明の実施の形態】
以下、本発明の実施形態を図面にしたがって説明する。
図１から図５は第１実施形態を示す。
図１に示すように、ラベル発行装置（商品処理装置の一例）１は、タッチスクリーン１７、ストロークキー１８およびラベル発行部１９が、図示しないインターフェイスを介してマイコン１０に接続されている。
【０００９】
前記マイコン１０は、ＣＰＵ１１、ＲＯＭ１３およびＲＡＭ（書換え可能な記憶部）１４を備えている。ＲＡＭ１４には、商品マスタ（商品情報記憶部）１５およびチェック項目記憶部１６が設けられている。
商品マスタ１５には、図２に示すように、呼出No. 、品名、単価、ＰＯＳコード、添加物コード、部門コードおよび有効期間などの複数種類の項目（種類）からなる商品情報が、商品ごとに、かつ、商品情報の項目ごとに互いに関連づけられて記憶される。前記ＲＡＭ１４には、前記添加物コードや部門コードに対応する添加物名や部門名を記憶する記憶部（図示せず）が設けられている。ＣＰＵ１１は、ラベル発行前に予め、ラベルの発行に必要な項目を商品マスタ１５から読み出し、当該項目に基づいてラベル発行を行う。
【００１０】
チェック項目記憶部１６には、チェック項目が記憶されており、たとえば、図３に示すように、品名、単価、ＰＯＳコードおよび添加物コードなどの項目名が設定される。なお、図１のＲＯＭ１３にはラベル発行等の制御プログラムが記憶されている。
【００１１】
前記ＣＰＵ１１は、判別手段１２を備えていると共に、チェック項目指定モード、商品登録モードおよび通常モードに設定される。通常モードは、ラベル発行等の商品処理を行うモードである。チェック項目指定モードは、チェック項目を設定するためのモードである。商品登録モードは、商品マスタ１５に商品情報を登録するためのモードである。判別手段１２は、たとえば本実施形態の場合、商品登録モードにおいて、商品マスタ１５の商品情報の項目のうちチェック項目に記憶された項目について入力がなされているか否かの判断を行う。
【００１２】
前記タッチスクリーン１７は、たとえば図４のチェック項目指定画面や図５Ａの商品登録モード画面のような画面を表示する他、図５Ｂのように、「添加物を設定して下さい。」などのエラーメッセージ画面を表示する。一方、タッチスクリーン１７の該表示画面の一部を指で触れることによって入力を行うことが可能である。なお、図１のラベル発行部１９は、設定された商品情報にしたがって、商品に関する商品情報をラベルに印字してラベルを発行する。
【００１３】
つぎに、本装置の運用方法について説明する。
商品マスタ１５に商品の登録を行う前に、オペレータは、タッチスクリーン１７の所定のボタンにタッチして、ＣＰＵ１１をチェック項目指定モードに設定して、予め、チェック項目の指定を行う。チェック項目指定モードに設定されると、図４に示すような、チェック項目指定画面が表示される。該チェック項目指定画面には、ラベルに印字する商品情報の項目名が表示されると共に、該項目名ごとにチェックの有無を設定するための「有」および「無」のボタンが表示される。オペレータは、未入力（入力忘れ）のチェックを行いたい項目について、「有」ボタンにタッチしてチェック項目を指定する。該チェック項目の指定が行われると、ＣＰＵ１１が当該指定されたチェック項目を、図３に示すチェック項目記憶部１６に記憶させる。
【００１４】
つぎに、オペレータは所定のボタンにタッチし、ＣＰＵ１１を商品登録モードに設定して商品の登録を行う。商品登録モードに設定されると、図５Ａに示すような、商品登録モード画面がタッチスクリーン１７に表示される。商品登録モード画面には、商品マスタ１５に登録することのできる全ての項目名が表示される。オペレータはストロークキー１８を用いて必要な項目について商品情報の入力を行い、その他の項目は未入力のままにしておく。
【００１５】
前記商品情報の入力が終了すると、オペレータは設定ボタン５１にタッチして当該商品情報の登録を行う。設定ボタン５１にタッチすると、ＣＰＵ１１が当該項目の商品情報を、図２の商品マスタ１５に記憶させると共に、未入力の項目に未入力を表す「ＦＦＦＦ」を記憶させる。したがって、未入力の項目に商品情報が存在しないことが入力される。
【００１６】
前記記憶後、図１の判別手段１２がチェック項目記憶部１６（図３）からチェック項目を読み出し、該チェック項目に対応する当該商品の項目について入力がなされているか否かを判断する。すなわち、判別手段１２は、商品マスタ１５（図２）から該チェック項目に対応する当該商品の項目を読み出し、当該項目に「ＦＦＦＦ」が記憶されているか否かの判別を行う。判別手段１２は、チェック項目に「ＦＦＦＦ」が記憶されている場合には、当該項目が未入力であると判別し、ＣＰＵ１１は図５Ｂのエラーメッセージ画面をタッチスクリーン１７に表示させて、当該項目が未入力であることの表示を行う。
【００１７】
このように、複数種類の商品情報の項目のうち、予め設定されたチェック項目について入力がなされていない場合には、当該事態を商品登録時に表示させると共に、前記チェック項目を指定できるようにしたので、ユーザごとに必須項目が異なっても入力忘れを防止することができる。
【００１８】
前記エラーメッセージ画面が表示された場合、オペレータは、再度、商品登録モード画面を表示させて未入力の項目の入力を行う。一方、チェック項目中に未入力の項目がないと判断された場合には、次の商品情報の登録を行うことができる。
このようにして、商品登録を繰り返して商品マスタ１５に商品情報を登録した後、オペレータはタッチスクリーン１７の所定のボタンにタッチして、ＣＰＵ１１を通常モードに設定し、ラベルの発行を行う。
【００１９】
つぎに、本発明の第２実施形態を図面にしたがって説明する。
図１のラベル発行装置１は、たとえば、図６Ａ，ＢおよびＣに示すように、複数種類のラベルフォーマット（I ），（II），（III ）のラベルを発行する。ＲＡＭ１４には、図６Ｄ，ＥおよびＦに示すように、ラベルフォーマット（I ），（II），（III ）に対応する複数種類のチェック項目記憶部（I ），（II），（III ）６０〜６２が設けてある。
【００２０】
前記ＣＰＵ１１は、判別手段１２を備えていると共に、チェック項目指定モード、商品登録モードおよび通常モードに設定される。判別手段１２は通常モードにおいて、複数のチェック項目記憶部（I ），（II），（III ）６０〜６２の何れかに記憶された項目について商品マスタ１５に、商品情報が入力されているか否かの判断を行う。
その他の構成は第１実施形態と同様であり、したがって、その詳しい説明を省略する。
【００２１】
つぎに、本装置の運用方法について説明する。
オペレータは、図１のタッチスクリーン１７の所定のボタンにタッチして、ＣＰＵ１１をチェック項目指定モードに設定して、予め、チェック項目の設定を行う。チェック項目指定モードが設定されると、図７に示すような、チェック項目指定画面が表示される。
【００２２】
図７Ａのチェック項目指定画面には、ラベルフォーマットの種類を表す番号（たとえばＩ）が表示されると共に、登録No. を除いた商品マスタ１５に記憶させることのできる全ての項目名と、該項目名ごとにチェックの有無を設定するための「有」および「無」のボタンが表示される。前記ラベルフォーマットの種類を表す番号は、ラベルフォーマット指定ボタンＢを構成しており、該ラベルフォーマット指定ボタンＢは、タッチすることで I→II→III →I の順にインクリメントすることができるようになっている。オペレータは、ラベルフォーマットの設定を行いたい番号を選択すると、図７Ｂのように当該ラベルフォーマット(III) に対応するチェック項目指定画面が表示される。当該チェック項目指定画面において、チェックを行いたい項目の「有」ボタンにタッチして、チェック項目の指定を行う。該チェック項目の指定が行われると、ＣＰＵ１１が指定されたチェック項目を、図６Ｆのチェック項目記憶部（III ）６２に記憶させる。
【００２３】
つぎに、オペレータはタッチスクリーン１７の所定のボタンにタッチして、ＣＰＵ１１を商品登録モードに設定して図５Ａの商品登録モード画面を表示させ、商品の登録を行う。ラベルの発行に必要な項目の入力が終了し、設定ボタン５１にタッチすると、ＣＰＵ１１が当該項目の商品情報を、図２の商品マスタ１５に記憶させると共に、当該商品についての未入力の項目に「ＦＦＦＦ」を記憶させる。
【００２４】
前述の商品登録を繰り返して商品マスタ１５に商品情報を登録した後、オペレータはタッチスクリーン１７の所定のボタンにタッチして、ＣＰＵ１１を通常モードに設定する。通常モードに設定されると、図８Ａに示すような、通常モード画面がタッチスクリーン１７に表示される。オペレータは、該通常モード画面の所定のボタンにタッチして、ラベルフォーマットおよびラベルの発行を行う商品を指定した後、発行ボタン８１にタッチする。
【００２５】
発行ボタンにタッチすると、ＣＰＵ１１が当該ラベルフォーマットに対応するチェック項目記憶部（III ）６２（図６Ｆ）からチェック項目を読み出すと共に、商品マスタ１５（図２）から当該商品に対応する商品情報を読み出す。当該商品の商品情報の項目のうち、該チェック項目に対応する当該商品の項目に「ＦＦＦＦ」が記憶されている場合には、未入力であると判別手段１２が判別して、ＣＰＵ１１が図８Ｂのエラーメッセージ画面をタッチスクリーン１７に表示させる。
【００２６】
このように、複数種類の商品情報の項目のうち、予め設定されたチェック項目について入力がなされていない場合には、未入力であることの表示を印字命令が実行される直前にタッチスクリーン１７に表示させるようにしたので、ユーザごとに異なる必須項目について、入力忘れを防止することができる。また、複数種類のラベルフォーマットごとにチェック項目を指定できるようにしたから、ラベルフォーマットごとに入力忘れをチェックすることができる。
【００２７】
前記判別手段１２が該チェック項目に未入力の項目があると判別した場合、オペレータはタッチスクリーン１７の所定のボタンにタッチして、ＣＰＵ１１を登録モードに設定し、未入力の項目を入力して商品情報の登録を行う。一方、判別手段１２がチェック項目に未入力の項目がないと判別した場合には、ラベルの発行が開始される。
【００２８】
なお、エラーメッセージを表示させるタイミングとしては、前記商品登録時および印字命令が実行される直前の他に、通常モードにおける商品の呼出時に表示させてもよい。また、商品登録時において、次の商品No. を入力した時点で該エラーメッセージを表示させてもよい。さらに、前記商品登録モード画面が複数のページにわたる場合には、次ページを表示させようとした時点で、前記エラーメッセージを表示させるようにしてもよい。また、画面がスクロールされるものにおいては、スクロールにより項目が画面から消えていく直前または直後に、前記エラーメッセージを表示させてもよい。
【００２９】
また、以上の説明では、未入力であることを表す値として当該項目に「ＦＦＦＦ」を記憶させるようにしたが、該未入力であることを表す値は、商品情報として意味を持たない値であればよく、たとえば、項目の最上桁に「Ａ」を記憶させてもよい。また、未入力であることを表す値を２以上設定してもよい。
【００３０】
また、前記実施形態では、本発明をラベル発行装置１に適用した実施形態について説明したが、商品マスタに記憶された商品情報の項目に基づいて計量や包装を行う商品処理装置についても本発明を適用し得る。この場合、チェック項目は、たとえば風袋などの計量や包装に用いる項目としてもよい。また、前記各実施形態では、タッチスクリーン１７およびストロークキー部１８を有する装置について説明したが、本発明は図９のように、液晶表示器１７Ａおよび入力操作部１８Ｂを備えた装置にも適用し得る。
【００３１】
【発明の効果】
以上説明したように、本発明によれば、複数種類の商品情報のうち予め設定されたチェック項目について入力がなされていない場合には、未入力であることの表示を所定のタイミングで、表示器に表示させると共に、前記チェック項目を指定（選択）できるようにしたから、ユーザごとに必須項目が異なっても入力忘れを防止することができる。
【００３２】
また、ラベル発行部を備えた商品処理装置において、ラベルを印字する形式（フォーマット）ごとにチェック項目を指定できるようにすれば、ラベルフォーマットに応じて入力忘れをチェックすることができる。
【図面の簡単な説明】
【図１】本発明の第１実施形態にかかるラベル発行装置の概略構成図である。
【図２】商品マスタの記憶内容を示す図表である。
【図３】チェック項目記憶部の記憶内容を示す図表である。
【図４】タッチスクリーンに表示されるチェック項目指定画面を示す正面図である。
【図５】商品登録モード画面およびエラーメッセージ画面を示す正面図である。
【図６】Ａ，Ｂ，Ｃは、本発明の第２実施形態にかかるラベルフォーマットを示す正面図であり、Ｄ，Ｅ，Ｆは同チェック項目記憶部の記憶内容を示す図表である。
【図７】同チェック項目指定画面を示す正面図である。
【図８】同通常モードおよびエラーメッセージ画面を示す正面図である。
【図９】表示器等の変形例を示す正面図である。
【符号の説明】
ラベル発行装置（商品処理装置）：１
判別手段：１２
チェック項目記憶部：１６，６０，６１，６２
タッチスクリーン（表示器）：１７，１７Ａ
ラベル発行部：１９
【図１】
0004083870.tif 000002
【図２】
0004083870.tif 000003
【図３】
0004083870.tif 000004
【図４】
0004083870.tif 000005
【図５】
0004083870.tif 000006
【図６】
0004083870.tif 000007
【図７】
0004083870.tif 000008
【図８】
0004083870.tif 000009
【図９】
0004083870.tif 000010